(57)【要約】【課題】  起動後、通信網に対して端末の状態情報を通知するまでの処理時間を短縮し、製造時における工程簡略化とコスト低減を可能とする。【解決手段】  アンテナ２１及びＲＦ部２０は、複数の周波数の何れかを選択的に使用して無線通信を行う。ＵＳＩＭモジュール２５には、少なくとも事業者識別情報（ＰＬＭＮ）と加入者識別情報が記録されたＵＳＩＭカードが装着されている。ＲＯＭ３５は、全ての通信事業者が各々独自に提供する各サービスに関連した機能を実行するための全てのソフトウェアを記憶している。制御部２８は、電源投入後、ＵＳＩＭカードからＰＬＭＮ情報を読み出し、そのＰＬＭＮ情報に対応したソフトウェアのみをＲＯＭ３５からＲＡＭ３６にロードする。また、制御部２８は、ロードしたソフトウェア内に記述されている情報に基づいて、電源投入後に最初にサーチする周波数を決定する。【選択図】  図２
2006279160.tif 000002
【特許請求の範囲】
【請求項１】
複数の周波数の何れかを選択的に使用して無線通信を行うための通信手段と、
ユーザの加入している通信事業者の識別情報が少なくとも記録されている記録媒体を着脱可能に装着するための記録媒体装着手段と、
上記通信手段にて使用可能な複数の周波数の何れかを利用している全ての通信事業者が各々独自に提供する各サービスに関連した機能を実行するための全てのソフトウェアを記憶している記憶手段と、
電源投入後、上記記録媒体装着手段に装着されている記録媒体から上記通信事業者の識別情報を読み出し、当該通信事業者の識別情報に対応したソフトウェアのみを上記記憶手段からロードする制御手段とを有する
ことを特徴とする無線通信端末。
【請求項２】
請求項１記載の無線通信端末であって、
上記制御手段は、上記通信事業者の識別情報に応じて上記記憶手段からロードしたソフトウェア内に記述されている所定の情報に基づいて、上記通信手段が最初にサーチする周波数を決定することを特徴とする無線通信端末。
【請求項３】
複数の周波数の何れかを選択的に使用して無線通信を行う無線通信端末の制御方法であって、
ユーザの加入している通信事業者の識別情報が少なくとも記録されている記録媒体が記録媒体装着手段に装着されている時、電源投入後に、上記記録媒体から上記通信事業者の識別情報を読み出すステップと、
上記無線通信に使用可能な複数の周波数の何れかを利用している全ての通信事業者が各々独自に提供する各サービスに関連した機能を実行するための全てのソフトウェアを記憶している記憶手段から、上記記録媒体から読み出した通信事業者の識別情報に対応したソフトウェアのみをロードするステップとを有する
ことを特徴とする無線通信端末の制御方法。
【請求項４】
請求項３記載の無線通信端末の制御方法であって、
上記通信事業者の識別情報に応じて上記記憶手段から読み出したソフトウェア内に記述されている所定の情報に基づいて、上記無線通信に際して最初にサーチする周波数を決定するステップを有することを特徴とする無線通信端末の制御方法。
【発明の詳細な説明】
【技術分野】
【０００１】
本発明は、ＵＳＩＭカードが装着される無線通信端末及びその制御方法に関する。
【背景技術】
【０００２】
近年は、いわゆるＵＳＩＭ（Universal Subscriber Identity Module：汎用加入者識別モジュール）と呼ばれているＩＣカードが装着されたＵＭＴＳ（Universal Mobile Telecommunications System）端末が普及しつつある。
【０００３】
上記ＵＳＩＭカード内には、加入者情報や、位置登録を行う際に必要な優先事業者に関する情報、禁止事業者情報、その他様々な情報が記録されている。なお、加入者情報には、事業者識別情報（Public Land Mobile Netowork：ＰＬＭＮ）と加入者識別情報が含まれている。このため、ユーザは、自己所有のＵＳＩＭカードを任意のＵＭＴＳ端末に装着することで、当該ＵＭＴＳ端末を使用することができる。言い換えると、複数のユーザが各々所有しているＵＳＩＭカードを、一つのＵＭＴＳ端末に入れ替えて挿入した場合、各ユーザはその端末を使用できることになる。
【０００４】
なお、例えば特開２００３−３２４７６８号の公開特許公報（特許文献１）には、ＵＳＩＭカードに格納されている情報をＷＣＤＭＡ（Wideband Code Division Multiple Access）端末に送信し、ＷＣＤＭＡ端末は、ＵＳＩＭカードからの情報により、ＷＣＤＭＡ基地局との通信動作に必要な情報を得るようになされた無線通信装置及びシステムが開示されている。
【０００５】
【特許文献１】特開２００３−３２４７６８号公報（第１図）
【発明の開示】
【発明が解決しようとする課題】
【０００６】
ところで、従来のＵＭＴＳ端末は、例えば、使用者が電源ボタンを操作して当該端末を起動させた時、先ず、ＵＭＴＳの仕様で決められている全ての周波数をサーチして実際に利用できる周波数を検波できた時に、次の処理に移行するようになされている。このため、従来のＵＭＴＳ端末においては、上記起動後、通信網に対して端末の状態情報を通知するまでの処理に多くの時間を要している。
【０００７】
また、例えば、ユーザが加入している通信事業者専用のサービス等に対応していないＵＭＴＳ端末に当該ユーザ所有のＵＳＩＭカードを装着したような場合、そのＵＭＴＳ端末で実際に使用可能な機能は、通話等の基本機能に限定され、当該ユーザが加入している通信事業者専用のサービス等に関連した機能については使用できない。すなわち、従来のＵＭＴＳ端末には、通話等の基本機能に関するソフトウェアを除いて、複数通信事業者のうちの何れか一つの通信事業者のみに対応したソフトウェアしか設定されていない。言い換えると、ＵＭＴＳ端末の製造時には、各通信事業者毎にソフトウェアを作成及び設定しなければならず、それによる製造工程の増加と複雑化及び製造コストの上昇が避けられない。
【０００８】
本発明は、このような実情に鑑みて提案されたものであり、起動後、通信網に対して端末の状態情報を通知するまでの処理時間を短縮することができ、また、製造時における工程簡略化とコスト低減を可能とする無線通信端末及びその制御方法を提供することを目的とする。
【課題を解決するための手段】
【０００９】
本発明の無線通信端末は、複数の周波数の何れかを選択的に使用して無線通信を行うための通信手段と、ユーザの加入している通信事業者の識別情報が少なくとも記録されている記録媒体を着脱可能に装着するための記録媒体装着手段と、通信手段にて使用可能な複数の周波数の何れかを利用している全ての通信事業者が各々独自に提供する各サービスに関連した機能を実行するための全てのソフトウェアを記憶している記憶手段と、電源投入後、記録媒体装着手段に装着されている記録媒体から通信事業者の識別情報を読み出し、当該通信事業者の識別情報に対応したソフトウェアのみを記憶手段からロードする制御手段とを有することにより、上述した課題を解決する。
【００１０】
そして、本発明において、制御手段は、通信事業者の識別情報に応じて記憶手段からロードしたソフトウェア内に記述されている所定の情報に基づいて、通信手段が最初にサーチする周波数を決定する。
【００１１】
また、本発明の無線通信端末の制御方法は、複数の周波数の何れかを選択的に使用して無線通信を行う制御方法であって、ユーザの加入している通信事業者の識別情報が少なくとも記録されている記録媒体が記録媒体装着手段に装着されている時、電源投入後に、当該記録媒体から通信事業者の識別情報を読み出すステップと、無線通信に使用可能な複数の周波数の何れかを利用している全ての通信事業者が各々独自に提供する各サービスに関連した機能を実行するための全てのソフトウェアを記憶している記憶手段から、記録媒体から読み出した通信事業者の識別情報に対応したソフトウェアのみをロードするステップとを有することにより、上述した課題を解決する。
【００１２】
すなわち、本発明によれば、記憶手段には、全ての通信事業者が提供する各サービスに関連した機能を実行するための全てのソフトウェアが格納されているため、端末製造時において、それら各通信事業者毎にソフトウェアを作成及び設定する必要がない。また、本発明によれば、電源投入時、記録媒体に記録されている通信事業者識別情報に対応したソフトウェアが記憶手段からロードされるため、ユーザが加入している通信事業者独自のサービスに関連した機能を実行できる。
【００１３】
さらに、本発明によれば、記録媒体の通信事業者識別情報に対応してロードされたソフトウェア内の所定の情報に基づいて、通信手段が最初にサーチする周波数を決定するため、無駄な周波数サーチ動作を減らすことができる。
【発明の効果】
【００１４】
本発明においては、全ての通信事業者が提供する各サービスに関連した機能を実行するための全てのソフトウェアが予め記憶され、電源投入時に、記録媒体の通信事業者識別情報に対応したソフトウェアのみが記憶手段からロードされるようになされているため、端末製造時に、各通信事業者毎にソフトウェアを作成及び設定する必要がなく、製造工程の簡略化とコスト低減が可能となる。
【００１５】
また、本発明においては、記録媒体の通信事業者識別情報に対応してロードされたソフトウェア内の所定の情報に基づいて、通信手段が最初にサーチする周波数を決定するため、無駄な周波数サーチ動作を減らすことができ、したがって、起動後、通信網に対して端末の状態情報を通知するまでの処理時間を短縮することができる。
【発明を実施するための最良の形態】
【００１６】
以下、図面を参照しながら、本発明の無線通信端末及びその制御方法の一実施形態について説明する。
【００１７】
なお、本実施形態では、本発明の一例として携帯電話端末を挙げているが、勿論、ここで説明する内容はあくまで一例であり、本発明はこの例に限定されないことは言うまでもない。
【００１８】
〔ネットワークシステムの概略構成〕
図１には、本発明実施形態の携帯電話端末が利用するネットワークの概略構成を示している。この図１に示すシステムは、各ユーザの携帯電話端末１，２，３，…と、基地局４，５，…と、移動体通信網１０内の交換局６，７と、ＨＬＲ（Home Location Register）８と、ＶＬＲ（Visitor Location Register）９とで構成されている。交換局６は基地局４と接続され、また、交換局７は基地局５と接続されている。なお、上記交換局６，７やＨＬＲ８、ＶＬＲ９等については、一般的な携帯電話システムに備えられているものであり、それらの説明については省略する。
【００１９】
〔携帯電話端末の概略構成〕
図２には、本発明実施形態の携帯電話端末の概略構成を示す。
【００２０】
無線インターフェースであるＲＦ部２０は、図１の基地局からの無線電波をアンテナ２１により受信すると、その受信信号を送受信共用器２２を介して受信部２４に送る。受信部２４は、当該受信信号の増幅，周波数変換，復調，アナログ／ディジタル変換処理等の処理を行い、その処理後の受信データを制御部２８へ送る。一方、送信部２３は、制御部２８から供給された送信データのディジタル／アナログ変換，変調，周波数変換，増幅等の処理を行い、その処理後の送信信号を送受信共用器２２へ送る。送受信共用器２２からの送信信号は、アンテナ２１から無線電波により基地局へ送信される。
【００２１】
制御部２８は、ＣＰＵ（Central Processing Unit）からなり、送信データの符号化や受信データの復号等を行い、ネットワークから当該端末に対する呼出が行われた場合には呼の確立やデータのやり取りを行う。また、制御部２８は、入力部３１、液晶ディスプレイ（ＬＣＤ）３２、スピーカ／マイクロホン部３３，ＬＥＤ（発光ダイオード）３４、ＲＯＭ（Read Only Memory）３５、ＲＡＭ（Random Access Memory）３６、ＵＳＩＭモジュール２５等と接続され、それら各部の制御やデータ処理、各種の演算処理を行う。
【００２２】
入力部３１は、電話番号やアルファベット、仮名文字、記号等の入力に使用されるキーや、画面上でカーソルを移動させるためのカーソル操作子、電源オン／オフなど、ユーザにより操作される各種のキーやボタン、ダイヤルからなる。入力部３１の各キー等がユーザにより操作されると、その操作情報は制御部２８に送られる。そして、この時の制御部２８は、当該操作情報に従った処理を実行する。
【００２３】
液晶ディスプレイ３２は、制御部２８から供給される画像データやテキストデータに基づく画像やテキストを表示する。
【００２４】
スピーカ／マイクロホン部３３は、通話音声の入出力、リンガ音の出力等を行う。
【００２５】
ＬＥＤ３４は、着信報知用のＬＥＤ、キー等の照明用ＬＥＤ、液晶ディスプレイのバックライト用ＬＥＤ、カメラ機能における撮影補助光用ＬＥＤ等からなる。
【００２６】
ＲＯＭ３５は、ＯＳ（Operating System）、制御部２８が各部を制御するための制御プログラムや各種の初期設定値、フォントデータ、辞書データ、着信音やキー操作音，アラーム音用の報知音データ、電子メールの作成や編集等を行うためのソフトウェア、画像や音声に対して様々な処理を行うためのソフトウェア、その他、携帯電話端末に搭載される各種のソフトウェア、当該携帯電話端末の識別情報（ＩＤ）などを記憶している。このＲＯＭは、いわゆるＮＡＮＤ型フラッシュメモリ（NAND-type flash memory）のような書き換え可能なＲＯＭを含み、電子メールデータ、ユーザにより設定される電話帳や電子メールアドレス、写真画像データ、ダウンロードされた写真データや音楽データ、ダウンロードされた着信音，報知音データ、文字データや予測変換の候補単語の登録データ、予測変換の学習データ、その他、各種のユーザ設定値等を保存することも可能となされている。
【００２７】
また、本発明実施形態において、上記ＲＯＭ３５には、全ての通信事業者が各々独自に提供する各サービスに関連した機能を実行するための全てのソフトウェアと、それら各ソフトウェア及び各通信事業者のリストが保存されており、当該携帯電話端末が起動された際には、制御部２８の制御の元で、上記ソフトウェアのリストから、ＵＳＩＭカード内の事業者識別情報（ＰＬＭＮ）に対応したソフトウェアが選択されてＲＡＭ３６にロードされるようになされている。本実施形態における端末起動時の動作とソフトウェア選択処理の詳細については後述する。
【００２８】
また、本実施形態において、上記ＵＳＩＭカード内の事業者識別情報（ＰＬＭＮ）に対応して選択されるソフトウェアの中には、ＵＭＴＳの仕様で決められている全ての周波数のうちで最初にサーチすべき周波数を決定するためのソフトウェアが含まれている。
【００２９】
ＲＡＭ３６は、制御部２８が各種のデータ処理を行う際の作業領域として、随時データを格納する。
【００３０】
ＵＳＩＭモジュール２５は、ＵＳＩＭカードを着脱可能なＵＳＩＭカードインターフェースを備えている。
【００３１】
その他、図２には図示を省略しているが、本実施形態の携帯電話端末は、時計機能、ＧＰＳ測位機能、ブラウザ機能、外部メモリ用インターフェース、外部ケーブル用コネクタ、赤外線通信機能、カメラ機能を実現するための回路構成などをも備えている。
【００３２】
〔携帯電話端末の論理構成〕
図３には、本実施形態の携帯電話端末の概略的な論理構成を示す。
【００３３】
本実施形態の携帯電話端末は、携帯電話端末本体とＵＳＩＭカードとが結合されたものであり、以下適宜、携帯電話端末本体をＭＥと表記し、また、ＭＥとＵＳＩＭカードを併せた構成をＵＥ（User Equipment）と表記する。すなわちこの図３において、ＵＳＩＭカード４２は加入者情報等を有する論理ファンクションであり、一方、ＭＥ４１はネットワークへのモデム機能や入出力機能等を有する論理ファンクションであり、これら二つのファンクションを併せたものがＵＥ４３である。
【００３４】
〔ＵＳＩＭカードの内部情報〕
図４には、ＵＳＩＭカード４２に記憶されている内部情報の構成図を示す。この図４に示すように、ＵＳＩＭカード４２の内部には、加入者情報５１、位置登録を行う際に必要な優先事業者情報５２、禁止事業者を示す禁止事業者情報５３等が記憶されている。加入者情報５１には、前述したように、事業者識別情報（ＰＬＭＮ）と加入者識別情報が含まれている。なお、ＵＳＩＭカード４２内には、他にも様々な情報が記憶されているが、ここでは本発明と直接関係ないのでそれらの図示及び説明は割愛する。
【００３５】
〔携帯電話端末起動時のシーケンス〕
図５には、本発明実施形態の携帯電話端末の電源ボタンが操作され、当該端末が起動した時のＭＥとＵＳＩＭカード間、及び、ＭＥと携帯電話ネットワーク（以下、ＮＷと表記する）間の処理シーケンスを示す。
【００３６】
この図５において、本実施形態のＭＥは、起動した時、先ず、ＵＳＩＭカードに対して起動通知（Ｔ１）を行う。上記ＭＥから起動通知を受けたＵＳＩＭカードは、内部に記憶しているＰＬＭＮ情報をＭＥに対して報告（Ｔ２）する。
【００３７】
次に、ＭＥは、ＲＯＭ３５に用意されている複数のソフトウェアの中から、上記ＵＳＩＭカードのＰＬＭＮ情報を基に、使用するソフトウェアを選択（Ｔ３）する。なお、当該ソフトウェア選択処理の詳細については後述する。
【００３８】
そして、ＭＥは、上記ソフトウェア選択処理により選択されたソフトウェアをＭＥ上でロードし、そのロードしたソフトウェアに記述されている最初にサーチすべき周波数を示す情報を基に、ＵＭＴＳの仕様で決められている全ての周波数の中で最初に検波すべき周波数を決定し、その周波数からサーチを開始（Ｔ４）する。すなわち、この時のＭＥは、ＵＳＩＭカードのＰＬＭＮ情報に基づいて最初にサーチすべき周波数を決定すること、つまりユーザが加入している通信事業者が利用している周波数を最初にサーチすることになる。
【００３９】
上記サーチにより利用可能な周波数を検波すると、ＭＥは、その検波された周波数を利用した無線通信を行い、ＮＷに対して位置登録要求（Ｔ５）を送信し、その後、ＮＷから位置登録の通知（Ｔ６）を受け取ると、次の処理に移行する。
【００４０】
このように、本実施形態においては、最初にサーチする周波数を、ユーザのＵＳＩＭカードに記録されているＰＬＭＮ情報に応じて選択したソフトウェアに記述されている周波数、つまりユーザが加入している通信事業者が利用している周波数にすることで、従来のようにＵＭＴＳで決められている全周波数を順番にサーチする場合よりも、通信網に対して端末の状態情報を通知して次の処理に移るまでの処理時間を少なくすることができる。
【００４１】
〔ソフトウェア選択時のシーケンス〕
図６には、本実施形態の携帯電話端末にてソフトウェア選択を行う際のＵＳＩＭカードとＭＥの制御部（図２の制御部２８及びＲＡＭ３６）との間、及び、ＭＥの制御部とＲＯＭ（図２のＲＯＭ３５）との間の処理シーケンスを示す。なお、この図６において、図５のシーケンスと同じ処理には同一の指示符号を付して、その処理の説明は省略する。
【００４２】
この図６において、本実施形態のＭＥの制御部は、ＵＳＩＭカードからＰＬＭＮ情報の報告（Ｔ２）を受けると、ＲＯＭに対して上記ＰＬＭＮに応じて起動するソフトウェアを要求（Ｔ１２）する。
【００４３】
この時、制御部は、ＲＯＭに記憶されているソフトウェアのリストの中から、上記ＰＬＭＮに応じたソフトウェアの検索（Ｔ１３）を行う。そして、当該ＲＯＭからは、上記ＰＬＭＮに応じたソフトウェアが制御部（実際にはＲＡＭ）へロード（Ｔ１４）される。
【００４４】
このように、本実施形態においては、ユーザのＵＳＩＭカードに記録されているＰＬＭＮ情報に基づいて検索したソフトウェア、つまりユーザが加入している通信事業者に対応したソフトウェアが検索されてロードされるようになされている。
【００４５】
すなわち言い換えると、本実施形態の携帯電話端末によれば、全ての通信事業者が各々独自に提供する各サービスに関連した機能を実行するための全てのソフトウェアが工場出荷時からＲＯＭに格納されており、それら全てのソフトウェアの中から、ＵＳＩＭカードのＰＬＭＮ情報に対応したソフトウェアのみがロードされるようになされているため、従来のように、携帯電話端末製造時において各通信事業者の何れか一つに対応したソフトウェアを個々に作成及び設定する必要がなく、したがって、製造工程の簡略化と製造コストの削減が可能となっている。
【００４６】
また、本実施形態の携帯電話端末によれば、ＲＯＭ内の全ソフトウェアの中から、ＰＬＭＮに応じたソフトウェアのみがロードされるため、上記ＵＳＩＭカードのユーザが加入している通信事業者により提供される各サービスに関連した機能を実行することが可能である。
【００４７】
〔まとめ〕
以上説明したように、本実施形態の携帯電話端末によれば、ＵＳＩＭカードに記録されているＰＬＭＮ情報に基づいて、ロードするソフトウェアの決定と最初にサーチする周波数の決定とを行うことにより、起動後、通信網に対して端末の状態情報を通知するまでの処理時間を短縮することができ、また、製造時における工程簡略化とコスト低減が可能となっている。
【００４８】
なお、上述した各実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００４９】
上述の実施形態では携帯電話端末を例に挙げているが、本発明の無線通信端末は、携帯電話端末に限定されず、無線通信機能を備えたＰＤＡ装置（PDA：Personal Digital Assistants）やノート型のパーソナルコンピュータ、携帯型の電子ゲーム装置、カーナビゲーション装置等にも適用可能である。
【図面の簡単な説明】
【００５０】
【図１】本発明実施形態の携帯電話端末が利用するネットワークの概略構成を示すブロック図である。
【図２】本発明実施形態の携帯電話端末の概略的な内部構成を示すブロック図である。
【図３】本実施形態の携帯電話端末の概略的な論理構成を示す図である。
【図４】ＵＳＩＭカードに記憶されている内部情報の構成図である。
【図５】本発明実施形態の携帯電話端末の電源ボタンが操作され、当該端末が起動した時のＭＥとＵＳＩＭカード間、及び、ＭＥとＮＷ間の処理シーケンスを示す図である。
【図６】本実施形態の携帯電話端末にてソフトウェア選択を行う際のＵＳＩＭカードとＭＥの制御部との間、及び、ＭＥの制御部とＲＯＭとの間の処理シーケンスを示す図である。
【符号の説明】
【００５１】
１〜３  携帯電話端末、４，５  基地局、６，７  交換局、８  ＨＬＲ、９  ＶＬＲ、１０  移動体通信網、２０  ＲＦ部、２１  アンテナ、２２  送受信共用器、２３  送信部、２４  受信部、２５  ＵＳＩＭモジュール、２８  制御部、３１  入力部、３２  液晶ディスプレイ、３３  スピーカ／マイクロホン部、３４  ＬＥＤ、３５  ＲＯＭ、３６  ＲＡＭ、４１  ＭＥ、４２  ＵＳＩＭカード、４３  ＵＥ、５１  加入者情報、５２  優先事業者情報、５３  禁止事業者情報
【図１】
2006279160.tif 000003
【図２】
2006279160.tif 000004
【図３】
2006279160.tif 000005
【図４】
2006279160.tif 000006
【図５】
2006279160.tif 000007
【図６】
2006279160.tif 000008